(57)【特許請求の範囲】
【請求項１】
エンジンの吸気通路内に設けられ、エンジン停止時には吸気管内に発生する蒸発燃料を吸着材に吸着させ、エンジン稼動時には吸着した蒸発燃料を脱離して燃焼させる蒸発燃料処理装置において、前記吸着材を複数に分割してフィルタで包み込み、吸着材カートリッジとして組み込んだことを特徴とする蒸発燃料処理装置。
【請求項２】
前記吸着材カートリッジの面側の形状を矩形に構成したことを特徴とする請求項１記載の蒸発燃料処理装置。
【請求項３】
前記吸着材カートリッジの面側の形状を正方形に構成したことを特徴とする請求項１記載の蒸発燃料処理装置。
【請求項４】
請求項２に記載の前記吸着材カートリッジと、請求項３に記載の前記吸着材カートリッジを、適宜取り混ぜて組み込んだことを特徴とする蒸発燃料処理装置。
【発明の詳細な説明】
【０００１】
【発明の属する技術分野】
本発明は内燃機関の蒸発燃料処理装置に関し、詳しくは、吸着デバイスの吸着材の漏洩を防止するとともに、組付性を向上させることができる蒸発燃料処理装置に関するものである。
【０００２】
【従来の技術】
エンジン停止中に、燃料噴射装置のインジェクタ等から僅かに漏れる蒸発燃料を、吸気通路内壁に設けられた吸着デバイスに充填された吸着材に吸着させ、エンジンの稼動とともに吸気流により離脱させて、燃焼室内で燃焼させる従来の蒸発燃料処理装置を図４および図５に示す。図４は従来の蒸発燃料処理装置の縦断面図で、図５は吸着デバイスの縦断面図および断面Ｃ−Ｃである。図４において、エンジン２１の吸気通路２１ａの途中に設けられたスロットルボデー２２とエアークリーナ２３の間に、吸着デバイス２４が設けられている。図５において、吸着デバイス２４を構成する円筒状のケース２５の中央に、吸気通路２１ａと略同一の円筒状のリブ２５ａが立設され、ケース２５の外筒部２５ｂとで構成される吸着材室２５ｃに、リブ２５ａの外周に巻かれた通気性フィルタ２６を介して吸着材２が充填された後、カバー２７が装着されて完成される。
【０００３】
そして、ケース２５およびカバー２７の開口部に設けられた入口管２５ｄおよび出口管２７ａによりエアークリーナ２３（図４）およびスロットルボデー２２（図４）側の吸気通路２１ｂ（図４）と接続される。エンジン２１（図４）が停止中にインジェクタ２８（図４）等から漏れた蒸発燃料は、吸気通路２１ａ、２１ｂ（図４）を伝って吸着デバイス２４に達し、リブ２５ａの隙間からフィルタ２６を透過して吸着材２に吸着され、エアークリーナ２３から外部に漏れ出るのが防止される。エンジン２１が稼動すると吸気通路２１ａ、２１ｂを通過する吸気流により、吸着材２に吸着されている蒸発燃料が脱離され、燃焼室２１ｃ内で燃焼される。
【０００４】
しかしながら、上述の吸着デバイス２４においては、吸着材室２５ｃに吸着材２を充填する際、フィルタ２６がめくれていても確認が難しく、また、めくれかけた状態で吸着材２が充填された場合には、使用経過とともに吸着材２が外部に漏れ出るおそれがある。そこで、その対策として図６に示すように、通気性を有するフィルタ材３１ａで作られた袋状のフィルタ３１に吸着材２を詰めた後、入口を封じて吸着材カートリッジ３２を製作し、吸着材カートリッジ３２を吸着材室２５ｃ内に収める方式の吸着デバイス３３が知られている。この種の吸着デバイスは、実開平７−１７９４５号公報におけるガスエンジンの防臭装置としても公開されている。前記公報によれば、多数の小孔を周側面に形成した外筒と、同様の小孔を形成した内筒との間に、濾紙によって形成された袋の中に活性炭を充填したものを、環状に収容して構成するとしている。
【０００５】
【発明が解決しようとする課題】
しかしながら、上記技術においては、吸気通路径が異なる毎に、吸着材容量の異なる吸着材カートリッジを製作する必要があるとともに、吸着材室の容積により様々な形状の吸着材カートリッジを製作する必要があり、設計上手間がかかる。また、吸着材の容量が大きいため吸着材室内に収容しにくいので組付に手間がかかる等々の弱点を有する。そこで本発明は、吸着材の容量が変わっても、また、吸着材室の形状が複雑になっても、容易に対応でき、組付時間のかからない構成の蒸発燃料処理装置を提供することを課題とするものである。
【０００６】
【課題を解決するための手段】
前記課題の解決を目的としてなされた請求項１の発明は、エンジンの吸気通路内に設けられ、エンジン停止時には吸気管内に発生する蒸発燃料を吸着材に吸着させ、エンジン稼動時には吸着した蒸発燃料を脱離して燃焼させる蒸発燃料処理装置において、前記吸着材を複数に分割してフィルタで包み込み、吸着材カートリッジとして組み込んだことを特徴とする。また、請求項２の発明は、前記吸着材カートリッジの面側の形状を矩形に構成したことを特徴とする。また、請求項３の発明は、前記吸着材カートリッジの面側の形状を正方形に構成したことを特徴とする。また、請求項４の発明は、請求項２に記載の前記吸着材カートリッジと、請求項３に記載の前記吸着材カートリッジを、適宜取り混ぜて組み込んだことを特徴とする。
【０００７】
【作用】
上述のように、本発明においては、エンジン停止中に、吸気通路内に生じた蒸発燃料は、吸着デバイスのリブの間を通りフィルタを透過して吸着材に吸着されるので蒸発燃料がエアークリーナから外部へ漏洩しない。エンジン稼動時には、吸着された蒸発燃料は、吸気通路を通過する吸気流により脱離され、エンジンの燃焼室内で燃焼される。吸着材は複数に分割されフィルタで包み込まれているので、従来のようにフィルタのめくれにより外部に漏れ出ることがなく、吸着材室が複雑な形状でも、容易に組付が可能となる。
【０００８】
【発明の実施の形態】
本発明の望ましい実施形態について図面を参照して説明する。図１（ａ）は本発明の第１の実施形態に係る蒸発燃料処理装置の吸着材カートリッジの横断面図、図１（ｂ）は断面Ａ−Ａ、図１（ｃ）は吸着デバイスの縦断面図である。図１において、吸着デバイス１の吸着材室１ａ内に充填される活性炭等の吸着材２は適量に分割され、例えば、通気性を有する不織布、ウレタン材、ナイロン材、金属等々からなるフィルタ３により包み込まれて吸着材カートリッジ４を矩形に形成する。矩形の吸着材カートリッジ４は複数に分割されているので、図１（ｃ）に示すように、吸着デバイス１の円筒状の吸着材室１ａ内に、整然と収容することができる。次に、図２を参照して吸着材カートリッジ４の製法について説明する。吸着材カートリッジ４は、図２（ａ）に示すように、面側４ａにおいて矩形の２枚のフィルタ材３ａの３辺が溶着または接着されて袋状をなし、入口３ｂから吸着材２が詰め込まれた後、図２（ｂ）に示すように、入口３ｂが熱溶着器５または接着器６により熱溶着または接着されて完成される。吸着材カートリッジ４の幅側４ｂの寸法は、吸着材室１ａの幅ｌにほぼ等しく形成される。図２（ｄ）はフィルタ３の他の実施形態で、１枚のフィルタ材３ｃの２辺が溶着または接着されて袋状のフィルタ３Ａを形成するものである。
【０００９】
次に、本発明の第２の実施形態に係る蒸発燃料処理装置について説明する。図３（ａ）は本発明の第２の実施形態に係る蒸発燃料処理装置の吸着材カートリッジの横断面図、図３（ｂ）は断面Ｂ−Ｂ、図３（ｃ）（ｄ）（ｅ）は吸着デバイスの縦断面図である。図３において、吸着デバイス７の吸着材室７ａ内に充填される吸着材２は適量に分割され、通気性を有するフィルタ８により包み込まれて吸着材カートリッジ９を形成する。吸着材カートリッジ９は、面側９ａにおいて正方形の２枚のフィルタ材８ａの３辺が溶着または接着された袋の中に吸着材２が充填され、入口８ｂが溶着または接着されて形成される。なお、吸着材カートリッジ９の製法については、第１の実施形態と同様のため説明は省く。
【００１０】
次に、本実施形態に係る吸着材カートリッジ９を使用した吸着デバイスの各種形態について説明する。図３（ｄ）は吸着デバイス１０の吸着材室１０ａの長さが長くなった場合の形態で、長くなった分吸着材カートリッジ９を増やして対応した例である。図３（ｅ）は吸着デバイス１１の吸着材室１１ａ、１１ｂが湾曲した場合の形態で、吸着材カートリッジ９が面側９ａで正方形に形成され、分割されているので、吸着材室１１ａ、１１ｂの形状が湾曲した場合でも、複雑な形状に関係なく吸着材カートリッジ９を整然と収容することができる。また、吸着材カートリッジ９は面側９ａで正方形であるため、縦横の区別をする必要がなく、組み付けるのに手間がかからない。
【００１１】
また、図示はしないが、上述の矩形の吸着材カートリッジと正方形の吸着材カートリッジとを適宜取り混ぜて使用することにより、さらに複雑な吸着材室を有する吸着デバイスへの組み込みが可能となる。
【００１２】
【発明の効果】
本発明は上述のように構成されているので以下の効果を奏する。すなわち、請求項１の発明においては、吸着材を複数に分割してフィルタ材で包み込み、吸着材カートリッジとして組み込んだので、吸着材室に収容し易く、組み込みに手間がかからず組付性が向上する。また、吸着材が外部に漏れ出ることがない。また、請求項２の発明においては、吸着材カートリッジの面側の形状を矩形に構成し、幅を吸着材室の幅に合わせて構成したので、縦に並べるだけで整然と容易に組み込むことができ、手間がかからない。
【００１３】
また、請求項３の発明においては、吸着材カートリッジの面側の形状を正方形に構成し、幅を吸着材室の幅に合わせて構成したので、縦横の区別をする必要がなく、吸着材室の形状に制限されにくく、湾曲した複雑な吸着材室にも整然と容易に収容することができ、組付性がさらに向上する。また、請求項４の発明においては、縦長の矩形と正方形の吸着材カートリッジを適宜取り混ぜて組み込んだので、さらに複雑な形状の吸着材室を有する吸着デバイスに、手間を掛けずに収容することができ、組付性が向上するとともに、吸着材カートリッジの種類も少なくてすみ、設計上好都合でありコストダウンも図れる。
【図面の簡単な説明】
【図１】図１（ａ）は本発明の第１の実施形態に係る蒸発燃料処理装置の吸着材カートリッジの横断面図である。
図１（ｂ）は断面Ａ−Ａである。
図１（ｃ）は吸着デバイスの縦断面図である。
【図２】図２（ａ）は本発明の第１の実施形態に係る吸着材カートリッジに使用するフィルタの正面斜視図である。
図２（ｂ）はフィルタの熱溶着時の上面図である。
図２（ｃ）はフィルタの熱溶着時の側面縦断面図である。
図２（ｄ）はフィルタの他の実施形態を示す正面斜視図である。
【図３】図３（ａ）は本発明の第２の実施形態に係る蒸発燃料処理装置の吸着材カートリッジの横断面図である。
図３（ｂ）は断面Ｂ−Ｂである。
図３（ｃ）は吸着デバイスの縦断面図である。
図３（ｄ）は吸着デバイスの縦断面図である。
図３（ｅ）は吸着デバイスの横断面図である。
【図４】従来の蒸発燃料処理装置の縦断面図である。
【図５】図５（ａ）は従来の蒸発燃料処理装置の吸着デバイスの縦断面図である。
図５（ｂ）は断面Ｃ−Ｃである。
【図６】図６（ａ）は従来の蒸発燃料処理装置の吸着デバイスの縦断面図である。
図６（ｂ）は断面Ｄ−Ｄである。
【符号の説明】
２    吸着材
３    フィルタ
３ａ  フィルタ材
４    吸着材カートリッジ
４ａ  面側
８    フィルタ
８ａ  フィルタ材
９    吸着材カートリッジ
９ａ  面側
【図１】
0003612664.tif 000002
【図２】
0003612664.tif 000003
【図３】
0003612664.tif 000004
【図４】
0003612664.tif 000005
【図５】
0003612664.tif 000006
【図６】
0003612664.tif 000007